(57)【要約】      （修正有）【課題】人工岩盤浴装置の設置予定場所への容易な搬送と設置のための給排水工事等の建築的工事を一切不要とし又、難病治癒あるいは人体免疫力向上のためのラドン浴とマイナスイオンミスト浴の環境を実現するために、ラドンミスト発生機構を具備する岩盤浴ベッドを提供する。【解決手段】岩盤ユニット板は２ａ、２ｂ、２ｃの３枚に分割されてヒ−タ−ユニット１の窪みの中に嵌め込まれている。岩盤ユニット板の底面はヒ−タ−ユニット１表層部の面状電気ヒ−タ−と面接触しており、温度コントロ−ラ−１ｄにより任意の温度に加温制御される。岩盤ユニット板が適度に加温されると岩盤ユニット板の構成素材であるラジウム鉱石等から遠赤外線の放出、更にはアルファ線、ベ−タ線、ガンマ−線等が微量放出される。【選択図】  図１
2007117682.tif 000002
【特許請求の範囲】
【請求項１】
遠赤外線の放出、更には微量のアルファ−線、ベ−タ線、ガンマ線等の放射が認められる自然界の鉱石を敷き詰めた岩盤ユニット板を加温するための面状電気ヒ−タ−を低部に装着し、該岩盤ユニット板を収容する窪みを設けたヒ−タ−ユニットを加温機構として具備する可搬式簡易岩盤浴ベッド。
【請求項２】
上記鉱石を効率よく加温するために、樹脂モルタルまたはこれに類する素材を高さ２５ｍｍ程度、又はこれに類する高さの浅型ステンレス容器中の適当深さまで充填し、樹脂モルタルに該鉱石を半没状態で敷設配置した岩盤ユニット板として上記ヒ−タ−ユニットの窪みに嵌め込むことを特徴とする請求項１記載の可搬式簡易岩盤浴ベッド。
【請求項３】
上記ステンレス容器を幅５００ｍｍ×長さ５００ｍｍ×高さ３５ｍｍ×重量２０Ｋｇのサイズ、重量又はこれに類するものに数分割して複数の岩盤ユニット板とし、設置予定場所への搬送・搬入を容易にしたことを特徴とする請求項１又は２記載の可搬式簡易岩盤浴ベッド。
【請求項４】
効率の良い熱伝導媒体である樹脂モルタルを鉱石の敷設素材とすることで、上記岩盤ユニット板の薄型化を可能にしたことにより、上記ヒ−タ−ユニットの窪みを深さ低くすることを可能にし、該ヒ−タ−ユニットを薄型、軽量にして設置予定場所への搬送・搬入を容易にしたことを特徴とする請求項１又は２記載の可搬式簡易岩盤浴ベッド。
【請求項５】
適当深さまで水を張ったステンレス容器内に上記鉱石類を半没水状態、又は完全没水状態に敷設したラドンミスト発生ユニットを嵌め込む窪みが設けられている請求項１記載の可搬式簡易岩盤浴ベッド。
【発明の詳細な説明】
【技術分野】
【０００１】  本発明は、近年、普及が著しい人工の岩盤浴装置に関するものである。岩盤浴の原点は、日本国内においては秋田県に難病治癒の湯治場として古くから知られている玉川温泉である。又、国外においてはオ−ストリア中央部、アルプス近くにあるバ−トガスタインのヴィルデンブルク山腹には「奇跡を生む岩盤浴」と言われている放射能泉「ハイルシュトレ−ン坑道浴」が世界的に有名である。いずれも温熱とラジウム鉱石内から浸出する遠赤外線、アルファ−線、ベ−タ線、ガンマ−線等の微量放射線とラドン気体を体内に取り込んでの放射線ホルミシス効果による各種疾患の治癒、あるいは体内免疫力の増進を期して多くの人々が湯治に訪れている。
しかし、このような湯治場を利用するためには通常１ケ月以上の日常生活からの隔離を強要されるのが一般的であり、日常生活上の時間的制約のある人々、あるいは定期的にかかりつけの医者通いを余儀なくされている人々にとっては利用困難な一面を有する。本発明は、これらの人々に手軽に利用できるラジウム岩盤浴ベッドを提供するものであり、且つ設置予定場所への容易な搬送と設置のための建築的工事を一切不要とするラジウム岩盤浴ベッドを実現するものである。
【背景技術】
【０００２】  このような背景の元、近年に至り各種人工の岩盤浴装置が慈雨のタケノコのごとく商品化されており、又、多くの関連技術が公開されている。これら技術に共通するものは、電気ヒ−タ−あるいは温水配管等の加温装置の上に遠赤外線または各種放射線を微量放出する鉱石を敷き詰め、人がその上に仰臥することで温熱効果と微量放射線の体内への浸透効果が期待できるというものである。代表的な技術例として、特開２００２−３５０７８、特開２００４−２６１５４７、登録実用新案第３１０４０５０号などがある。【０００３】  これら従来技術の主張するところは、大きく次の２つに大別される。
一つは、鉱石の種類選択と配列及び敷設の工夫により、遠赤外線による人体へのより有効な温熱効果と微量放射線浸透による放射線ホルミシス効果を謳っていること。更には岩盤ベッド上に散水して発生するミストを人体に呼吸吸引させてラジウム温泉地と同様のヒ−リング効果をも期するというものである。しかし、これら技術においては、疾患治癒効果あるいは人体免疫力向上のほどを臨床的検証に基づいて立証しているものは皆無であり、この観点においてこれら技術の主張は結果を伴っていない推論の域を脱していない。又、ラジウム鉱石を加温すれば人体に好影響を及ぼす微量放射線が放出されるという技術論理に基づく人工装置は、玉川温泉等における自然界現象の模倣の域内である。以上の理由により、これら技術が主張する独自の鉱石種類とその敷設方法の組み合わせ及び加温方法により疾患治癒効果と免疫力向上が期待できるという観点においては技術的新進性および新規性は認め難い。【０００４】  もう一つは、登録実用新案第３１０４０５０号に代表される人工岩盤装置のコンパクト化技術である。確かに人工岩盤浴装置を商業ベ−スの観点で考えた場合、都会のビルの部屋内に装置を運び込むにおいて装置のコンパクト化は切実な課題である。更には、特開２００４−２６１５４７に代表される装置設置場所における建築的工事費用を最小化する技術も商業ベ−ス観点からは切実な課題となっている。
【発明の開示】
【発明が解決しようとする課題】
【０００５】  本発明は、商業ベ−ス上の問題点となっている人工岩盤浴装置の設置予定場所への容易な搬送と設置のための給排水工事等の建築的工事を一切不要とする岩盤浴ベッドを提供することを課題とする。又、玉川温泉の岩盤浴の特徴であるラドンミストの発生機構をも具備する岩盤浴ベッドを提供することを課題とする。
【課題を解決するための手段】
【０００６】  現実問題として、マンション等において人遺体を納める棺の出し入れには、エレベ−タ−が使えないとか階段を利用するにしても大変な人手と重労働を伴うことは衆智の事実である。一方、公開されている登録実用新案第３１０４０５０号に代表される装置搬送の容易化をテ−マとした従来技術は、サイズ的にも重量的にも人遺体棺以下の装置のコンパクト化を実現しておらず、これらの問題を解決しているとは認め難い。
又、加温システムとして温水管を敷設するタイプの装置においては、設置場所への装置搬入面におけるこのような大変な労力を必要とする搬入作業に加えて、多大の費用発生を伴う温水管敷設等の建築的設置工事も発生する。【０００７】本発明の可搬式簡易岩盤浴ベッドは、図１に示すように幅８００ｍｍ×長さ２０００ｍｍ×高さ１００ｍｍ×重量３０Ｋｇというコンパクト且つ薄型を実現したヒ−タ−ユニット１と当該ユニットに対して容易に着脱可能な一枚当り幅５００ｍｍ×長さ５００ｍｍ×高さ３５ｍｍ×重量２０Ｋｇの岩盤ユニット板３枚２ａ、２ｂ、２ｃで構成されることを特徴とする。
又、ラドンミスト発生ユニット３をヒ−タ−ユニット１の枕として頭が位置する箇所に着脱可能なように組み込んでいることを特徴とする。【０００８】  先ず、装置設置場所への搬入においては、ヒ−タ−ユニット１と岩盤ユニット板２に分けて行う。ヒ−タ−ユニット１は一般のビルエレベ−タ−内に収まるサイズであるが、仮に何らかの理由でエレベ−タ−利用ができない場合でも重量３０Ｋｇという軽量であることから、容易に階段利用での人力搬入ができる。又、岩盤ユニット板２ａ、２ｂ、２ｃの搬入においてはヒ−タ−ユニット１に比べて小型軽量であることより搬入作業に支障となる要因はない。【０００９】  次に、設置場所における建築的工事の必要性という観点において、本発明の岩盤浴ベッドはこのような一切の工事を必要としない。各ユニットの設置場所への搬入後の作業としては、ヒ−タ−ユニット１の窪み１ａに３枚の岩盤ユニット板２ａ、２ｂ、２ｃを嵌め込むのみである。尚、窪み１ａは岩盤ユニット板３枚２ａ、２ｂ、２ｃの合計面積に若干の余裕を持たせた寸法とし、岩盤ユニット板の嵌め込みを容易にしている。【００１０】  又、ヒ−タ−ユニット１には窪み１ｂを設けている。２００５年５月に本発明の出願人は特願２００５−１２４１５０としてミスト岩盤浴装置を出願している。当該装置は岩盤表面に散水せずに任意の量のラドンミストを発生させることができることを特徴とする。
一方、岩盤浴装置のラジウム鉱石の表面に散水することでラドンミストを発生させる方法が開示されている従来技術においては、加温装置として電気ヒ−タ−の採用はヒ−タ−面と水の接触によるヒ−タ−部に経年腐食等が進行し、人体への感電事故の可能性を１００％排除できないという観点において困難である。従って、従来技術によるラドンミスト発生のための加温装置は温水配管が一般的であるが、装置の設置工事が大掛かりなものになることは否めない。
本発明においては、着脱可能なラドンミスト発生ユニット３をヒ−タ−ユニット１の窪み１ｂに嵌め込むことにより、従来技術では困難とされていた電気ヒ−タ−加温式の岩盤浴装置であるにもかかわらず任意の量のラドンミスト発生を可能にした。
【発明の効果】
【００１１】  本発明の可搬式簡易岩盤浴ベッドによれば、設置予定場所への搬送・搬入が容易にできる。そして設置予定場所における設置のための建築的工事を一切不要にできる。又、頭が位置する場所に組み込んだラドンミスト発生ユニット３により、従来技術にみられるラドンミスト発生のための岩盤ベッド全体への散水を不要にでき、装置のコンパクト化と建築的工事を不要にできる電気ヒ−タ−加温方式が可能となる。
【本発明を実施するための最良の形態】
【００１２】  図１は本発明に係る可搬式簡易岩盤浴ベッドの全体構成を示す。図２はヒ−タ−ユニット１の構造を、図３は岩盤ユニット板２の構造を、図４においてはラドンミスト発生ユニット３の構造を示す。
本発明の実施において、図２のヒ−タ−ユニット１と図３の岩盤ユニット板２及び図４のラドンミスト発生ユニット３を個々に製作し、個々に設置場所への搬送・搬入し、そして設置予定場所において各ユニットを組立することが〔０００５〕に記載した本発明の課題を実現する最良の形態である。
【実施例】
【００１３】  以下、本発明の実施例を図１〜図４を参照して説明する。
図１に示すのは、本発明に係る可搬式簡易岩盤浴ベッドの全体構成である。岩盤ユニット板２は２ａ、２ｂ、２ｃの３枚に分割されてヒ−タ−ユニット１の窪み１ａの中に嵌め込まれている。岩盤ユニット板２の底面はヒ−タ−ユニット１表層部の面状電気ヒ−タ−１ｃと面接触しており、温度コントロ−ラ−１ｄにより任意の温度に加温制御される。岩盤ユニット板２が適度に加温されると岩盤ユニット板２の構成素材であるラジウム鉱石等から遠赤外線の放出、更にはアルファ線、ベ−タ線、ガンマ−線等が微量放出される。岩盤ユニット板２上に人が仰臥することによりこれら微量放射線が体内に浸透し、放射線ホルミシス効果による疾患治癒あるいは免疫力向上等が期待できることは各種文献、各種公開技術、あるいは玉川温泉における実際の効能により明らかとなっている。尚、人体への微量放射線の浸透による放射線ホルミシス効果については米国ト−マス・ラッキ−博士が著書の中で詳述しているのでここでの説明は割愛する。【００１４】  ここで、放射線ホルミシス効果の度合いについてであるが、岩盤ユニット板２に敷設する鉱石種により異なることは当然であり、遠赤外線しか放出しない鉱石種もあれば、北斗石、バ−トガスタイン鉱石等、玉川温泉と同等のラジウム鉱石として世界的に認知されている鉱石を敷設すればより大きな放射線ホルミシス効果が期待できることは衆智の事実である。
又、鉱石から浸出する放射線のエネルギ−ポテンシャルに関しては、敷設する鉱石の質量と深い関係がある。良質なラジウム鉱石であるバ−トガスタイン鉱石を敷設したとしても、合計数百グラムの鉱石粒を敷き詰めた場合と数キログラムの鉱石ブロックを敷き詰めた場合とでは大きく異なる。【００１５】  上記に記載したように、本発明の可搬式簡易岩盤ベッドによれば各種微量放射線放出が認められることは事実である。しかし本発明は、従来技術が主張するような放出放射線種類、放射線エネルギ−量に係る鉱石種とその敷設配置の工夫による疾患治癒効果等に関することを課題にしない。本発明は、容易な搬送・搬入を可能とし、建築的設置工事を不要とする可搬式簡易岩盤ベッドの提供を実現するための岩盤ユニットの製造技術及び当該ユニットの加温システムに関する技術を課題とする。【００１６】  次に、個々のユニットの製造技術について説明する。図２にヒ−タ−ユニット１の構成を示す。
ヒ−タ−ユニット１は搬送・搬入を容易にするため床暖房設備に採用されている面状電気ヒ−タ−１ｃを組み込むことで薄型化と軽量化を実現していることを特徴とする。
面状電気ヒ−タ−１ｃは断熱材１ｅとヒ−タ−面保護材１ｆでサンドイッチ層を構成している。又、岩盤ユニット板２の受容スペ−スとして窪み１ａか設けられた形状になっている。
又、仰臥体頭部位置にラドンミスト発生ユニット３の受容スペ−スとして、窪み１ｂが設けられていることを特徴とする。【００１７】  更に、岩盤ユニット板２及びラドンミスト発生ユニット３を１台で個別に加温制御するための機能を有する温度コントロ−ラ−１ｄが設けられていることを特徴とする。【００１８】  次に、岩盤ユニット板２の構成を図３に示す。
本実施例では、装置の設置場所までの搬送・搬入を容易にするため、鉱石をヒ−タ−ユニット１に個別バラ積載とせず、各々５００ｍｍ×５００ｍｍ×２５ｍｍ深さのステンレス容器２ａ１、２ｂ１、２ｃ１に敷き詰めて人力搬入が容易なサイズ及び重量とした岩盤ユニット板２ａ、２ｂ、２ｃとしていることを特徴とする。尚、上記サイズ及び分割数は一例であり、これに類するサイズ及び分割数も本発明の範疇に含まれる。【００１９】  以下、岩盤ユニット板２ａに製作を詳細に説明する。２ｂ、２ｃについても同様である。
先ず、樹脂モルタル２ａ２又はこれに類したモルタルをステンレス容器２ａ１の適当な深さまで流し込む。樹脂モルタル２ａ２が硬化しない内にラジウム鉱石２ａ３を半没になるように樹脂モルタル２ａ２に埋め込み配置する。ここで大切な点は、アルファ線放出が認められる鉱石を採用する場合、アルファ線はモルタルを透過しないので、必ず半没の形で埋め込み配置することを特徴とする。【００２０】  又、ラジウム鉱石２ａ３の隙間に那智黒石２ａ４あるいは麦飯石２ａ５等の遠赤外線放出が顕著な鉱石を埋め込み配置することで、更なる人体への温熱効果が期待できることを特徴とする。【００２１】  一方、鉱石を樹脂モルタル２ａ２に埋め込む形で配置することにより、樹脂モルタル２ａ２が熱伝導媒体となり鉱石を均一に効率よく加温することができることから、本実施例では従来技術の岩盤浴装置の消費電力を大幅に下回る３６０Ｗという超低消費電力を実現している。【００２２】  更に、鉱石を樹脂モルタル２ａ２に半没状態で埋め込む形での配置方式により、自由に岩盤表面鉱石の凹凸を工夫することができる。一般に完全フラットな岩盤面の場合、仰臥人体と岩盤面の接触度合いは人体各部により異なる。本実施例においては、ラジウム鉱石２ａ１が人体構造に沿うように半没高さを調整して樹脂モルタル２ａ２に埋め込むことによりこの問題を解決している。
又、補助遠赤外線鉱石として埋め込む那智黒石２ａ４を小粒なものとし、半没埋め込み高さと配置を工夫することにより、人体マッサ−ジにおけるツボ押し効果が期待できる。【００２３】  次に、ラドンミスト発生ユニット３の構成を図４に示す。
一般にラジウム鉱石からラドン気体Ｒｎ２２２が生成されることは公知の事実である。又、ラドン温泉は豊富なラドンガスとマイナスイオンミストを体内に呼吸吸引することで、難病治癒と体内免疫力向上の湯治場として多くの人々に利用されている。この観点より、本発明の可搬式簡易岩盤浴ベッドは、ラジウム鉱石からラドンガスを生成・放出すると共に、鉱石によって水クラスタ−塊を小さくした水をミスト化するという観点において、ラドン温泉の浴槽と同等の環境を創出するラドンミスト発生機構を具備することを特徴とする。【００２４】  上記機構を実現するため、本発明によれば、適当深さに水を張ったステンレス容器３ａにラジウム鉱石３ｂを半没水状態で配置し、ヒ−タ−ユニット１によりステンレス容器３ａが加温されることにより、ラジウム鉱石３ｂでラドンガスを生成することを特徴とする。【００２５】  一方、ラジウム鉱石も水のクラスタ−塊を小さくする性質を有するが、本実施例においては、これらラジウム鉱石に加えて、発生水蒸気の粒子をより小さくし、良質のマイナスイオンミストを生成する目的でステンレス容器３ａの中に麦飯石３ｃも水没状態で投入していることを特徴とする。麦飯石３ｃは多孔質という特殊構造により水のクラスタ−塊を小さくする性質を有することは一般に知られるところであるが、同様の性質を持つ他の鉱石でも上記目的は達せられる。
尚、水のクラスタ−の詳細説明は多数の水改質に関する文献が存在することにより、ここでは割愛する。
【図面の簡単な説明】
【００２６】
【図１】実施例の可搬式簡易岩盤浴ベッドの全体構成斜視図である。
【図２】実施例のヒ−タ−ユニット１の斜視図である。
【図３】実施例の岩盤ユニット板２ａの斜視図である。（２ｂ及び２ｃは２ａに同様であるので省略する）
【図４】実施例のラドンミスト発生ユニットの斜視図である。
【符号の説明】
【００２７】１  ヒ−タ−ユニット１
１ａ  窪み（岩盤ユニット板２用）
１ｂ  窪み（ラドンミスト発生ユニット３用）
１ｃ  面状電気ヒ−タ−
１ｄ  温度コントロ−ラ−
１ｅ  断熱材
１ｆ  ヒ−タ−面保護材
２  岩盤ユニット板２
２ａ  岩盤ユニット板分割板
２ａ１  ステンレス容器
２ａ２  樹脂モルタル
２ａ３  ラジウム鉱石
２ａ４  那智黒石
２ｂ  岩盤ユニット板分割板
２ｃ  岩盤ユニット板分割板
３  ラドンミスト発生ユニット３
３ａ  ステンレス容器
３ｂ  ラジウム鉱石
３ｃ  麦飯石
３ｄ  蓋
【図１】
2007117682.tif 000003
【図２】
2007117682.tif 000004
【図３】
2007117682.tif 000005
【図４】
2007117682.tif 000006